(57)【要約】【課題】便器の開口より排泄時の臭気が回りに出ることを最小限に留め、個人差、姿勢差を吸収可能な信頼性の高い簡易便器を提供する。【解決手段】  着座マットの局部口を便器の開口より小さい開口面積とし、便器固定用ステーは支持手段に対しての相対位置が変更可能に支持手段に支持されている構成を有する。【選択図】図１
2009254758.tif 000002
【特許請求の範囲】
【請求項１】
上方に開口し排泄物を受け入れ保持する便器と、
前記便器を支持する便器固定用ステーと、
前記便器固定用ステーを支持する支持手段と、
前記便器の開口を覆うとともに排泄物を通過させる貫通孔を供えた便器本体カバーと、
前記便器本体カバーの上方に設けられ前記便座の貫通孔に連通する局部口を供えた着座マットと、
前記便器に排泄パイプを介して接続された汚物タンクと、
洗浄水を前記便器内から前記便器本体カバーの貫通孔および前記着座マットの局部口を通過して上方に噴射可能な噴射ノズルと、
前記噴射ノズルに洗浄水を供給する洗浄水供給装置と、
を含み、
前記着座マットの前記局部口を前記便器の開口より小さい開口面積とし、
前記便器固定用ステーは前記支持手段に対しての相対位置が変更可能に前記支持手段に支持されていることを特徴とする、簡易便器。
【請求項２】
前記着座マットの局部口と連通する穴を備え、前記着座マットを覆う保護シートを更に備えた、請求項１に記載の簡易便器。
【請求項３】
前記便器の開口の周辺部に回動可能に配置され、回動することで排泄者の局部を覆う位置に停止可能な局部カバーをさらに備えた、請求項１または２に記載の簡易便器。
【請求項４】
前記便器内に、便器内の排泄物を洗浄水により排泄パイプを介して接続された汚物タンクに流し込むための洗浄ノズルを更に備えた、請求項１から３のいずれかに記載の簡易便器。
【請求項５】
前記洗浄ノズルは、複数のノズルを含み、少なくとも前記便器内の排泄物を便器表面から離脱させるために洗浄水を下方から上方へ向けて噴射可能なノズルを含む、請求項１から４のいずれかに記載の簡易便器。
【請求項６】
前記噴射ノズルは回動可能に支持されて洗浄水の噴射方向が可変に構成され、便器内の排泄物を洗浄可能な構成とした、請求項１から５のいずれかに記載の簡易便器。
【請求項７】
お尻乾燥装置を更に備えた、請求項１から６のいずれかに記載の簡易便器。
【請求項８】
臭気吸入装置を更に備えた、請求項１から７のいずれかに記載の簡易便器。
【請求項９】
請求項１から８のいずれかに記載の簡易便器を備えた、車椅子。
【発明の詳細な説明】
【技術分野】
【０００１】  本発明は、車椅子等に搭載可能な簡易便器に関するものである。
【背景技術】  従来、身体の不自由などの理由により、自分の排泄を自力で容易にできない人のために排泄機能を乗ったままできる特徴をもたせた車椅子が存在する。
特許文献１の発明は、このような目的のための車椅子あるいは簡易便器に係るものである。
【特許文献１】特開２００３−３１９９７５号公報
【発明の開示】
【発明が解決しようとする課題】
【０００２】  特許文献１に示すような構成においては、便器が車椅子に固定され、結果として便器の開口位置が固定された構成となっている。身体の不自由などの理由により、自分の排泄を自力で容易にできない人は、自身の体の姿勢や、お尻の位置を自分で制御できない場合がある。また、さまざまな体型の人に対して便器の開口位置が固定された構成となっていると、使用者の肛門の位置と便器の開口の位置が合わず排泄物がうまく通過できず不具合を生じることがあった。また、このため便器の開口を大きくすると、排泄時の臭気が回りに出やすくなるという問題が生じるものであった。
本発明は、上記の問題点を解決するためになされたものであり、さまざまな体型の人や姿勢にうまく対応でき、かつ便器の開口より排泄時の臭気が回りに出ることを最小限に留めることのできる局部口を設け、かつ便器の開口の位置を支持手段に対して調整可能とし、においもれがなく、個人差、姿勢差を吸収可能な信頼性の高い簡易便器を提供することを目的とするものである。
【課題を解決するための手段】
【０００３】  以上の課題を解決するための本発明の簡易便器は、上方に開口し排泄物を受け入れ保持する便器と、便器を支持する便器固定用ステーと、便器固定用ステーを支持する支持手段と、便器の開口を覆うとともに排泄物を通過させる貫通孔を供えた便器本体カバーと、便器本体カバーの上方に設けられ便座の貫通孔に連通する局部口を供えた着座マットと、便器に排泄パイプを介して接続された汚物タンクと、洗浄水を便器内から便器本体カバーの貫通孔および前記着座マットの局部口を通過して上方に噴射可能な噴射ノズルと、噴射ノズルに洗浄水を供給する洗浄水供給装置と、を含み、着座マットの局部口を便器の開口より小さい開口面積とし、便器固定用ステーは支持手段に対しての相対位置が変更可能に支持手段に支持されている構成を有する。
さらに、着座マットの局部口と連通する穴を備え、着座マットを覆う保護シートを更に備えた構成としてもよい。また、便器の開口の周辺部に回動可能に配置され、回動することで排泄者の局部を覆う位置に停止可能な局部カバーをさらに備える構成、便器内に、便器内の排泄物を洗浄水により排泄パイプを介して接続された汚物タンクに流し込むための洗浄ノズルを更に備えた構成とすること、洗浄ノズルは、複数のノズルを含み、少なくとも便器内の排泄物を便器表面から離脱させるために洗浄水を下方から上方へ向けて噴射可能なノズルを含む構成、噴射ノズルは回動可能に支持されて洗浄水の噴射方向が可変に構成され、便器内の排泄物を洗浄可能な構成、お尻乾燥装置を更に備えた構成、臭気吸入装置を更に備えた構成、などが良好な構成の例として考えられる。
また以上の課題を解決するための本発明の車椅子は、以上に記載の簡易便器を備えた構成を備える。
【発明の効果】
【０００４】  本発明によれば、便器を支持する便器固定用ステーと、便器固定用ステーは支持手段との相対的な位置が変更可能に支持されている構成を有し、さらに着座マットの局部口は便器本の開口より小さい開口面積を有しているのでさまざまな体型の人や姿勢にうまく対応でき、かつ便器の開口より排泄時の臭気が回りに出ることを最小限に留めることができ、臭気のもれが少ない簡易便器を提供することが可能となる。
【発明を実施するための最良の形態】
【０００５】（実施の形態１）
本発明の実施の形態１における簡易便器について、図１を用いて説明する。図１は本発明の実施の形態１における簡易便器としての分解斜視図である。図１において、
本実施の形態１における簡易便器１は、上方に開口し排泄物を受け入れ保持する便器２と、便器２を支持する便器固定用ステー３と、便器固定用ステー３を支持する支持手段４と、便器２の開口２ａを覆うとともに排泄物を通過させる貫通孔５を供えた便器本体カバー６と、便器本体カバー６の上方に設けられ、便座２の貫通孔２ａに連通する局部口７を供えた着座マット８と、便器２に排泄パイプ９を介して接続された汚物タンク１０と、洗浄水を便器２内から便器本体カバー６の貫通孔５および着座マット８の局部口７を通過して上方に噴射可能な噴射ノズルと、噴射ノズル１１に洗浄水を供給する洗浄水供給装置１２とを含み、着座マット８の局部口７を便器２の開口２ａより小さい開口面積とし、便器固定用ステー３は支持手段４に対しての相対位置が変更可能に支持手段４に支持されている。【０００６】  着座マット８の上には、局部口７と連通する穴１３を備え、着座マット８を覆う保護シート１４が載せられており、使用回数に応じて保護シート４は取替え可能になっている。また、便器２の開口２ａの周辺部前方には、回動可能に配置され、回動することで排泄者の局部を覆う位置に停止可能な局部カバー１５がさらに設けられている。局部カバー１５には、取替え可能な保護カバー１６が着脱可能に設けられている。この局部カバー１５主に男性用として使用される構成となっており、使用しないときは取り外し可能な構造となっている。【０００７】  便器２内には、便器２内の排泄物を洗浄水により排泄パイプ９を介して接続された汚物タンク１０に流し込むための洗浄ノズル１７，１８，１９が設けられている。洗浄ノズル１７は便器２の前方に設けられており、前方から排泄物を排泄パイプ９に向けて洗い流す機能を有する。洗浄ノズル１７，１８，１９は、洗浄水供給装置１２の給水ポンプ１２ａにより給水管１２ｂを介して接続され、洗浄水タンク１２ｃからの線浄水を放出する構成となっている。また、噴射ノズル１１に対しても洗浄水供給装置１２の給水ポンプ１２ａにより給水管１２ｂを介して洗浄水が供給される。洗浄ノズル１８ａ，ｂは便器２の側方に設けられており、主に便器２の洗浄する機能を有する。洗浄ノズル１９ａ，ｂは便器２の後方に設けられており、後方から排泄物を浮き上がらせて排泄物の排出を助けるとともに、後方から便器２の前方の洗浄をする機能を有する。排泄パイプ９に向けて洗い流す役割をはたす。【０００８】  噴射ノズル１１は、使用者の後方側に設けられており、排泄者のでん部の穴に洗浄水を放射して洗浄する機能を有する。また通常は排泄者のでん部の肛門に洗浄水を放射して洗浄する機能を有するように上方へ向けて噴射可能なノズル構成となっているが、噴射ノズル１１は長手方向に中心軸の周りを回動可能に支持されており、噴射ノズル１１の回転のための回転モータ１１ｂにより回転する。この場合手動による回転でもよい。このように噴射ノズル１１からの洗浄水の噴射方向が上方または下方に可変に構成され、噴射ノズル１１からの洗浄水の噴射方向を下方に向けた場合には、便器２内の排泄物を洗浄可能な構成となっている。また、噴射ノズル１１の応用例として、図３に示すものは女性用ノズル１１ａを備え、噴射ノズル１１からの洗浄水の噴射方向を下方に向けた場合には、女性用ノズル１１ａが上方に向けられて、ビテ機能を有するノズルとなるよう構成されている。なお噴射ノズル１１からの洗浄水の噴射方向を上方に向けた場合には、女性用ノズル１１ａが下方に向けられるので、排泄者のでん部の肛門に洗浄水を放射して洗浄する機能を使う場合にもでん部への影響はない。【０００９】  次に、使用者のでん部を乾燥するための乾燥装置２１について説明する。乾燥装置２１は便器２の側部に接続されており、臭気吸入装置２２の空気ポンプ２３により汚物タンク１０の上方に設けた吸引口２４から臭気を含んだ空気を吸引し、防臭室２５、オゾン発生装置２６を介して除臭された空気を配管２１ａを介して便器２の開口２ａを貫通して使用者のでん部に向けて放出される構成となっている。
また前記洗浄ノズル１７，１８，１９，２０の洗浄水の放出、噴射ノズル１１の回転のための回転モータ１１ｂの制御は制御部２７のコンピュータ（図示せず）により行われ、使用者は使用者用コントローラ２８により洗浄ノズル１７，１８，１９，２０の洗浄水の放出、噴射ノズル１１の回転のための回転モータ１１ｂの制御操作が可能となっている。また、補助者等は補助者用コントローラ２９を用いて線浄水の吐出量、乾燥時間、などが使用者用コントローラ２８の機能に加えてさらに制御可能に構成されている。制御部２７はバッテリー３０により駆動されるが、充電器３１、直流変換器３２を介して１００ボルトＡＣ電源による使用、充電が可能な構成になっている。【００１０】  以上の簡易便器１における、着座マット８と便器２の開口２ａとの関係、および便器固定用ステー３と支持手段４との関係について図４、図５を用いて説明する。図４は簡易便器１の平面図であり、着座マット８が省略されている図、図５は同簡易便器簡易便器１の平面図であり、着座マット８が斜線にて示されている図である。図５においては簡易便器１における着座マット８の局部口７が便器２の開口２ａより小さい開口面積であることが示されている。これは便器２の開口２ａより排泄物の臭いが漏れ出すのを最小限にとどめる役割をはたす。また、局部口７は使用者の体格等を考慮して大、中、小のものを容易することが可能である。また、図４では、便器固定用ステー３はその大きさが前後、左右とも支持手段４より小さい寸法となっており、便器固定用ステー３は支持手段４に対しての相対位置が前後、左右に位置変更可能となっている。便器２に接続された排泄パイプはフレキシブルな構造のため便器固定用ステー３の移動の吸収が可能な構造となっている。また支持手段４の上面と便器固定用ステー３の下面とは摩擦係合となっているが、さらなる固定手段（ねじ等）を用いてもよいし、いわゆるベルクロ等の仮固定手段を用いての支持構成としてもよい。このような構成の簡易便器１は支持手段４を介して車椅子３３に搭載される。【００１１】  次に、簡易便器１が車椅子３３に搭載される状態について、図２以下を用いて説明する。便器２を固定した便器固定用ステー３を支持する支持手段４が車椅子３３のフレーム３６に対して固定される。便器２の噴射ノズル洗浄ノズル１７，１８，１９，２０と洗浄水供給装置１２の接続は、給水ポンプ１２ａを介して給水管１２ｂにより行われる。また局部カバー１５が使用される場合には、局部カバー１５に設けたノズル１５ａにも洗浄水供給装置１２が給水ポンプ１２ａを介し給水管１２ｂを介して接続される。便器２と汚物タンク１０との接続が排泄パイプ９により行われる。【００１２】（実施の形態２）
本発明の実施の形態２における簡易便器が車椅子３３に搭載された例ついて、図６を用いて説明する。図６は本発明の実施の形態２における簡易便器搭載用の車椅子の概略斜視図である。本発明の実施の形態２における簡易便器について、実施の形態１と同一の部品には同一の番号を付し説明を略する。図において、車椅子３３下方にまず前方ステー３４および後方ステー３５が公知のＬ形金具とビス・ネジ等で取り付けられ、前方ステー３４上には、バッテリー３０、充電器３１、直流変換器３２および制御部２７が搭載される。また後方ステー３５には汚物タンク１０と洗浄水供給装置１２が搭載される。便器２を固定した便器固定用ステー３を支持する支持手段４が車椅子３３のフレーム３６に対して固定される。汚物タンク１０と便器２の洗浄ノズル１７，１８，１９，２０接続を配管２１ａにより、また洗浄水供給装置１２と便器２との接続が給水管１２ｂを介して行われる。そして便器２と汚物タンクとの接続が排泄パイプ９により行われる。【００１３】（実施の形態３）
本発明の実施の形態３における簡易便器が車椅子３３に搭載された例ついて、図７を用いて説明する。図７は同実施の形態３における簡易便器を搭載した車椅子の背面図である。本発明の実施の形態３における簡易便器について、実施の形態１と同一の部品には同一の番号を付し説明を略する。図において、車椅子３３の下方の後方ステー３５上には汚物タンク１０と洗浄水供給装置１２が搭載される。便器２を固定した便器固定用ステー３が支持手段４に支持され、支持手段４は車椅子３３のフレームに対して固定される。便器２と汚物タンク１０との接続が排泄パイプ９により行われている。車椅子３３の手すり３７には使用者用コントローラ２８が配置されている。
【産業上の利用可能性】
【００１４】  本発明によれば、さまざまな体型の人や姿勢にうまく対応でき、かつ便器の開口より排泄時の臭気が回りに出ることを最小限に留めることができ、臭気のもれが少ない簡易便器を提供することが可能となるので、介護分野、病院、身体障害者が働く工場、映画館、ホテルでの利用が可能である。
【図面の簡単な説明】
【００１５】
【図１】本発明の実施の形態１における簡易便器の分解斜視図である。
【図２】同簡易便器の側面図である。
【図３】同簡易便器の噴射ノズルの拡大図である。
【図４】同簡易便器の平面図である。
【図５】同簡易便器の平面図である。
【図６】本発明の実施の形態２における簡易便器搭載用の車椅子の概略斜視図である。
【図７】本発明の実施の形態３における簡易便器を搭載した車椅子の背面図である。
【符号の説明】
【００１６】  １  簡易便器、２  便器、３  便器固定用ステー３、４  支持手段、５  貫通孔、６  便器本体カバー、７  局部口、８  着座マット、９  排泄パイプ、１０  汚物タンク、１１  噴射ノズル、１２  洗浄水供給装置、１３  局部口７と連通する穴、１４  保護シート１４、１５  局部カバー、１７，１８，１９，２０  洗浄ノズル、２１  乾燥装置。
【図１】
2009254758.tif 000003
【図２】
2009254758.tif 000004
【図３】
2009254758.tif 000005
【図４】
2009254758.tif 000006
【図５】
2009254758.tif 000007
【図６】
2009254758.tif 000008
【図７】
2009254758.tif 000009